(57)【要約】エレベータ配送システム（１００）は、複数のエレベータ群（１０１、１０２）の各群が、群制御装置（１０３ａ−ｂ）および複数のエレベータかご（１０１ａ−ｃ、１０２ａ−ｃ）を備えるとともにそれぞれ一組の階床にサービスする、複数のエレベータ群（１０１、１０２）と、目的階床を含むサービス要求を受け取るように構成された転送装置（１０４）であって、複数のエレベータ群（１０１、１０２）が目的階床にサービスする場合、転送装置（１０４）内に記憶された情報に基づいて複数のエレベータ群（１０１、１０２）から要求にサービスするための最良の群を決定するように構成された転送装置（１０４）と、を備えており、決定された最良の群の群制御装置（１０３ａ−ｂ）は、決定された最良の群内の複数のエレベータかご（１０１ａ−ｃ、１０２ａ−ｃ）から最良のかごを決定するように構成されている。
2013520377.tif 000002
【特許請求の範囲】
【請求項１】
エレベータ配送システム（１００）であって、
複数のエレベータ群（１０１、１０２）の各群が、群制御装置（１０３ａ−ｂ）および複数のエレベータかご（１０１ａ−ｃ、１０２ａ−ｃ）を備えるとともにそれぞれ一組の階床にサービスする、複数のエレベータ群（１０１、１０２）と、
目的階床を含むサービス要求を受け取るように構成された転送装置（１０４）であって、複数のエレベータ群（１０１、１０２）が目的階床にサービスする場合、転送装置（１０４）内に記憶された情報に基づいて複数のエレベータ群（１０１、１０２）から要求にサービスするための最良の群を決定するように構成された転送装置（１０４）と、
を備えており、決定された最良の群の群制御装置（１０３ａ−ｂ）は、決定された最良の群内の複数のエレベータかご（１０１ａ−ｃ、１０２ａ−ｃ）から最良のかごを決定するように構成されていることを特徴とするエレベータ配送システム（１００）。
【請求項２】
ユーザからサービス要求を受け取り、サービス要求を転送装置（１０４）に送り、転送装置（１０４）から決定された最良の群および最良のかごを受け取り、決定された最良の群および最良のかごをユーザに表示する、少なくとも１つの目的階入力装置（１０５ａ−ｄ）をさらに備えることを特徴とする請求項１記載のエレベータ配送システム（１００）。
【請求項３】
転送装置内に記憶される情報は、１日のうちの特定の時間、特定のエレベータ群に割り当てられたサービス要求の回数、特定のエレベータ群に割り当てられた、特定の期間に受け取られた全てのサービス要求の割合、または、特定の群に割り当てられる、特定の期間に受け取られる期待されるサービス要求の割合についての記憶されたサービス要求データのうちの少なくとも１つを含むことを特徴とする請求項１記載のエレベータ配送システム（１００）。
【請求項４】
転送装置（１０４）内に記憶される情報には、タイマが終了した場合に転送装置（１０４）が最良の群として選択されるエレベータ群を交替させるように構成されるようタイマが含まれることを特徴とする請求項１記載のエレベータ配送システム（１００）。
【請求項５】
転送装置内に記憶される情報には、サービス要求の回数が所定の閾値を超えた場合に転送装置（１０４）が最良の群として選択されるエレベータ群を交替させるように構成されるようエレベータ群に割り当てられるサービス要求の回数が含まれることを特徴とする請求項１記載のエレベータ配送システム（１００）。
【請求項６】
転送装置（１０４）は、複数のエレベータ群（１０１、１０２）のうちの１つのエレベータ群がサービス要求として同じ出発階から同じ目的階へ行く待ち乗客を有すること、複数のエレベータ群（１０１、１０２）のうちの１つのエレベータ群がサービス要求として同じ出発階から行く待ち乗客を有すること、またはサービス要求を行う乗客の身体が不自由なこと、のうちの１つを含むオーバーライド条件に基づいて最良の群を決定するように構成されることを特徴とする請求項１記載のエレベータ配送システム（１００）。
【請求項７】
複数のエレベータ群の各群が、群制御装置および複数のエレベータかごを備えるとともにそれぞれ一組の階床にサービスする、複数のエレベータ群を備えるエレベータ配送システムにおける最良の群の選択方法（２００）であって、
転送装置によって目的階床を含むサービス要求を受け取り（２０１）、
複数のエレベータ群が目的階床にサービスする場合、転送装置内に記憶された情報に基づいて転送装置によって複数のエレベータ群のうちの最良の群を決定し（２０２）、
決定された最良の群の群制御装置によって、決定された最良の群のうちの最良のかごを決定し（２０４）、
決定された最良の群内の最良のかごにサービス要求を割り当てる（２０５）、
ことを含むことを特徴とする選択方法（２００）。
【請求項８】
目的階入力装置においてユーザからサービス要求を受け取り、サービス要求を目的階入力装置から転送装置に送り、
目的階入力装置によって転送装置から決定された最良の群および最良のかごを受け取り、目的階入力装置によって決定された最良の群および最良のかごをユーザに表示する、
ことをさらに含むことを特徴とする請求項７記載の選択方法（２００）。
【請求項９】
転送装置内に記憶される情報は、１日のうちの特定の時間、特定のエレベータ群に割り当てられたサービス要求の回数、特定のエレベータ群に割り当てられた、特定の期間に受け取られた全てのサービス要求の割合、または、特定の群に割り当てられる、特定の期間に受け取られる期待されるサービス要求の割合についての記憶されたサービス要求データのうちの少なくとも１つを含むことを特徴とする請求項７記載の選択方法（２００）。
【請求項１０】
転送装置内に記憶される情報には、タイマが終了した場合に転送装置が最良の群として選択されるエレベータ群を交替させるように構成されるようタイマが含まれることを特徴とする請求項７記載の選択方法（２００）。
【請求項１１】
転送装置内に記憶される情報には、サービス要求の回数が所定の閾値を超えた場合に転送装置が最良の群として選択されるエレベータ群を交替させるように構成されるようエレベータ群に割り当てられるサービス要求の回数が含まれることを特徴とする請求項７記載の選択方法（２００）。
【請求項１２】
転送装置内に記憶された情報に基づいて転送装置によって複数のエレベータ群のうちの最良の群を決定することは、複数のエレベータ群のうちの１つのエレベータ群がサービス要求として同じ出発階から同じ目的階へ行く待ち乗客を有すること、複数のエレベータ群のうちの１つのエレベータ群がサービス要求として同じ出発階から行く待ち乗客を有すること、またはサービス要求を行う乗客の身体が不自由なこと、のうちの１つを含むオーバーライド条件に基づくことを特徴とする請求項７記載の選択方法（２００）。
【請求項１３】
コンピュータによって実行されると、複数のエレベータ群の各群が、群制御装置および複数のエレベータかごを備えるとともにそれぞれ一組の階床にサービスする、複数のエレベータ群を備えるエレベータ配送システムにおける最良の群の選択方法（２００）を実現する、コンピュータコードを含むコンピュータ可読記憶媒体から成るコンピュータプログラム製品であって、該方法は、
転送装置によって目的階床を含むサービス要求を受け取り（２０１）、
複数のエレベータ群が目的階床にサービスする場合、転送装置内に記憶された情報に基づいて転送装置によって複数のエレベータ群のうちの最良の群を決定し（２０２）、
決定された最良の群の群制御装置によって、決定された最良の群のうちの最良のかごを決定し（２０４）、
決定された最良の群内の最良のかごにサービス要求を割り当てる（２０５）、
ことを含むことを特徴とするコンピュータプログラム製品。
【請求項１４】
目的階入力装置においてユーザからサービス要求を受け取り、サービス要求を目的階入力装置から転送装置に送り、
目的階入力装置によって転送装置から決定された最良の群および最良のかごを受け取り、目的階入力装置によって決定された最良の群および最良のかごをユーザに表示する、
ことをさらに含むことを特徴とする請求項１３記載のコンピュータプログラム製品。
【請求項１５】
転送装置内に記憶される情報は、１日のうちの特定の時間、特定のエレベータ群に割り当てられたサービス要求の回数、特定のエレベータ群に割り当てられた、特定の期間に受け取られた全てのサービス要求の割合、または、特定の群に割り当てられる、特定の期間に受け取られる期待されるサービス要求の割合についての記憶されたサービス要求データのうちの少なくとも１つを含むことを特徴とする請求項１３記載のコンピュータプログラム製品。
【請求項１６】
転送装置内に記憶される情報には、タイマが終了した場合に転送装置が最良の群として選択されるエレベータ群を交替させるように構成されるようタイマが含まれることを特徴とする請求項１３記載のコンピュータプログラム製品。
【請求項１７】
転送装置内に記憶される情報には、サービス要求の回数が所定の閾値を超えた場合に転送装置が最良の群として選択されるエレベータ群を交替させるように構成されるようエレベータ群に割り当てられるサービス要求の回数が含まれることを特徴とする請求項１３記載のコンピュータプログラム製品。
【請求項１８】
転送装置内に記憶された情報に基づいて転送装置によって複数のエレベータ群のうちの最良の群を決定することは、複数のエレベータ群のうちの１つのエレベータ群がサービス要求として同じ出発階から同じ目的階へ行く待ち乗客を有すること、複数のエレベータ群のうちの１つのエレベータ群がサービス要求として同じ出発階から行く待ち乗客を有すること、またはサービス要求を行う乗客の身体が不自由なこと、のうちの１つを含むオーバーライド条件に基づくことを特徴とする請求項１３記載のコンピュータプログラム製品。
【発明の詳細な説明】
【技術分野】
【０００１】
本願に開示の主題は一般に、エレベータ配送システムの分野に関する。
【背景技術】
【０００２】
エレベータシステムは、各群が一組の階床にサービスする複数のエレベータ群を備えることがある。そのようなシステムでは、乗客は、各自の目的階に基づいてサービスを要求するエレベータ群を選択できる。目的階床の中には複数のエレベータ群によってサービス可能な階床がある。複数のエレベータ群が目的階にサービスする場合、乗客は、エレベータ群の物理的位置やホールの混み具合などの要因に基づいてエレベータ群を選択できる。乗客は、エレベータ群を選択後、サービス要求を入力できる。サービス要求を受け取ると、選択された群に関連する群制御装置は、群内のどのかごを乗客にサービスするために割り当てるかを決定するために、選択された群内の各かごを評価できる。要求にサービスするための最良のかごが、一組の定義された基準を用いて群制御装置によって選択可能であり、選択された最良のかごが、要求にサービスするために割り当て可能である。しかしながら、群制御装置は、その特定のエレベータ群内のかごから選択することができるだけである。エレベータ群はすでに乗客によって選択されており、群情報は、群内の各かごについて同じであるため、群情報は、最良のかごを選択する際の要因とはならない。
【発明の概要】
【課題を解決するための手段】
【０００３】
本発明の一態様によれば、エレベータ配送システムは、複数のエレベータ群の各群が、群制御装置および複数のエレベータかごを備えるとともにそれぞれ一組の階床にサービスする、複数のエレベータ群と、目的階床を含むサービス要求を受け取るように構成された転送装置であって、複数のエレベータ群が目的階床にサービスする場合、転送装置内に記憶された情報に基づいて複数のエレベータ群から要求にサービスするための最良の群を決定するように構成された転送装置と、を備えており、決定された最良の群の群制御装置は、決定された最良の群内の複数のエレベータかごから最良のかごを決定するように構成されている。
【０００４】
本発明の別の態様によれば、複数のエレベータ群の各群が、群制御装置および複数のエレベータかごを備えるとともにそれぞれ一組の階床にサービスする、複数のエレベータ群を備えるエレベータ配送システムにおける最良の群の選択方法は、転送装置によって目的階床を含むサービス要求を受け取り、複数のエレベータ群が目的階床にサービスする場合、転送装置内に記憶された情報に基づいて転送装置によって複数のエレベータ群のうちの最良の群を決定し、決定された最良の群の群制御装置によって、決定された最良の群のうちの最良のかごを決定し、決定された最良の群内の最良のかごにサービス要求を割り当てる、ことを含む。
【０００５】
本発明のさらに別の態様によれば、コンピュータプログラム製品は、コンピュータコードを含むコンピュータ可読記憶媒体から成り、コンピュータによって実行されると、複数のエレベータ群の各群が、群制御装置および複数のエレベータかごを備えるとともにそれぞれ一組の階床にサービスする、複数のエレベータ群を備えるエレベータ配送システムにおける最良の群の選択方法を実現し、該方法は、転送装置によって目的階床を含むサービス要求を受け取り、複数のエレベータ群が目的階床にサービスする場合、転送装置内に記憶された情報に基づいて転送装置によって複数のエレベータ群のうちの最良の群を決定し、決定された最良の群の群制御装置によって、決定された最良の群のうちの最良のかごを決定し、決定された最良の群内の最良のかごにサービス要求を割り当てる、ことを含む。
【０００６】
本発明の他の態様、特徴および技術は、図面と共に考慮される以下の説明からより明らかとなるであろう。
【０００７】
ここで図面を参照するが、同様の構成要素は、いくつかの図面の中で同様に番号付けられている。
【図面の簡単な説明】
【０００８】
【図１】エレベータ配送システムの実施例を示す図。
【図２】転送装置情報を用いるエレベータ配送システムにおける最良の群の選択方法の実施例を示す図。
【図３】転送装置情報を用いるエレベータ配送システムにおける最良の群の選択のシステムおよび方法の実施例と共に使用可能なコンピュータの実施例を示す図。
【発明を実施するための形態】
【０００９】
転送装置情報を組み込んだエレベータ配送システムにおける最良の群の選択のシステムおよび方法の実施例が提供されており、例示的な実施例について以下に詳細に説明する。エレベータ配送システムは、複数群エレベータシステム内の特定のエレベータ群を最初に選択せずに乗客がサービス要求を入力できる、１つまたは複数の包括的目的階入力装置を備えることができる。エレベータ配送システムは次いで、要求にサービスする最良の群を選択することができる。エレベータ群間で交通量を釣り合わせるために、そして要求にサービス可能な混み具合のより少ないエレベータ群が存在する場合に込み合ったエレベータ群へ乗客を送ることを避けるために、要求にサービス可能な各エレベータ群の群情報が、最良の群を決定するために評価可能である。最良の群は、転送装置内に記憶された情報に基づいて選択可能である。最良の群が選択された後で、最良の群から最良のかごが選択可能である。
【００１０】
複数のエレベータ群がサービス要求を満たすことができる場合に交通を混み具合のより少ないエレベータ群に向けることによって、混み具合を低減し、複数のエレベータ群間の交通量を釣り合わせることができる。乗客は、混み具合のより少ないホールおよびかごの状態を経験することができ、建物の所有者は、ホールの待ち行列の低減を喜ぶことができるが、それというのも、ホールの待ち行列は、エレベータシステムの認識される性能の非公式の尺度となる目に見える問題だからである。
【００１１】
エレベータ配送システム１００の実施例が図１に示される。かご１０１ａ−ｃは、第１のエレベータ群１０１を構成し、制御装置１０３ａによって制御される。かご１０２ａ−ｃは、第２のエレベータ群１０２を構成し、制御装置１０３ｂによって制御される。制御装置１０３ａ−ｂは、転送装置１０４に接続される。制御装置１０３ａ−ｂは、制御装置の各群の個々のかごのうちの１つなど、エレベータ配送システム１００内の任意の適切な物理的位置に配置可能である。乗客は、各自の目的階の階床値を入力することで、目的階入力装置（ｄｅｓｔｉｎａｔｉｏｎ  ｅｎｔｒｙ  ｄｅｖｉｃｅ）（ＤＥＤ）１０５ａ−ｄの１つにサービス要求を入力することができる。サービス要求は、転送装置内に記憶された情報を用いて要求にサービスするための最良のエレベータ群を最初に決定するように、転送装置１０４によって処理される。転送装置１０４によって最良の群が決定された後に、最良の群の群制御装置によって最良の群内の最良のかごが決定される。乗客が要求を入力するのに用いたＤＥＤ１０５ａ−ｄの１つが、選択された最良の群および最良のかごを乗客に示す。エレベータ群１０１、１０２、かご１０１ａ−ｃ、１０２ａ−ｃ、制御装置１０３ａ−ｂ、およびＤＥＤ１０５ａ−ｄは、例示する目的で示されているだけであり、エレベータ配送システムは、任意の適切な数のエレベータ群、かご、制御装置およびＤＥＤを備えることができる。エレベータ群１０１、１０２などのエレベータ群は、建物内の任意の一部の階床にサービスすることができ、システムの１つまたは複数の階床が、複数のエレベータ群によってサービス可能である。群選択は、転送装置１０４内に配置された群選択モジュールによって実行可能である。
【００１２】
図２には、転送装置内の群選択モジュール内で具体化可能な最良の群の選択方法の実施例が示される。図２については、図１を参照して説明する。ブロック２０１において、転送装置１０４は、ＤＥＤ１０５ａ−ｄのうちの１つから目的階床を含むサービス要求を受け取る。ブロック２０２において、転送装置１０４は、要求にサービスするための最良の群を決定する。最良の群は、群制御装置１０３ａ−ｂからの入力なしで転送装置１０４によって決定可能である。
【００１３】
転送装置１０４は、最良の群を決定するために転送装置１０４に記憶されたデータを考慮することができ、このデータには、限定される訳ではないが、１日のうちの特定の時間、特定の群に割り当てられたサービス要求の回数、特定の群に割り当てられた、特定の期間に受け取られた全てのサービス要求の割合、または、特定の群に割り当てられる、特定の期間に受け取られることが期待されるサービス要求の割合についての記憶されたサービス要求データが含まれる。例えば、２つの特定の群によりサービスされる、階床への全ての目的階要求は、８ＡＭ〜９ＡＭの期間は、群のうちの一方にのみ割り当てられるが、それというのも、その時間帯ではもう一方の群は各階止まりの運行で通常使用中であることが知られているからである。
【００１４】
最良の群を決定するために使用されるデータは、システム管理者によって設定可能である。例えば、最良の群を選択するために１日のうちの時間を使用するかが設定可能である。１日のうちの時間が使用される場合、特定の期間も設定可能である。新たなサービス要求について最良の群を選択するために転送装置１０４によって使用される情報は、加重パラメータ、ファジー論理、加重平均、または利用可能な情報の任意の他の評価を含め、さまざまな方法で組み合わせ可能である。
【００１５】
最良の群を決定する方法の例示的な実施例について、表１〜表４に関して以下に検討する。表１〜表４に例示される実施例は、１つまたは複数の群制御装置からの情報を必要としない。以下の表１〜表４で例示される各実施例については、図１を参照すると、群１０１は、ホールおよび階床１〜１０にサービスする、３つのかご（１０１ａ−ｃ）の低層群である。群１０２は、ホール、階床５、および階床１０〜１８にサービスする、３つのかご（１０２ａ−ｃ）の高層群である。階床５は、カフェテリア階であり、１日のうちの特定の時間帯において、大きな割合の交通量がこの階床へ行くことになる。目標は、群１０１、１０２間で交通量を釣り合わせることである。
【００１６】
いくつかの実施例では、転送装置１０４は、複数の群によってサービス可能な目的階要求に対する群割り当てを交互にすることで交通量を釣り合わせることができ、この方法の実施例が、表１に示される。
【００１７】
表１  交互の群選択
到着時刻  目的階  群割り当て  備考
12:10:03  5       101         第１の割り当て
12:10:05  12      102         群102のみ階床12にサービスする
12:10:09  10      102         両方の群101、102によりサービスされる目的階
に対する以前の呼びは、群101に割り当てた
12:10:15  5       101         両方の群101、102によりサービスされる目的階
に対する以前の呼びは、群102に割り当てた
12:10:21  10      102         両方の群101、102によりサービスされる目的階
に対する以前の呼びは、群101に割り当てた。
【００１８】
いくつかの実施例では、設定可能期間内で受け取られる同じ目的階に対する複数の連続した要求は、転送装置１０４によって、同じ群に割り当て可能である。この方法の実施例が、表２に示される。
【００１９】
表２  経過時間法、経過期間は１０秒
到着時刻  目的階  群割り当て  備考
12:10:03  5       101         第１の割り当て
12:10:05  12      102         群102のみ階床12にサービスする
12:10:09  5       101         同じ目的階に対する以前の要求の１０秒以内に
受け取られた要求
12:10:15  5       101         同じ目的階に対する以前の要求の１０秒以内に
受け取られた要求
12:10:21  5       101         同じ目的階に対する以前の要求の１０秒以内に
受け取られた要求
12:10:40  5       102         同じ目的階に対する以前のものの１０秒以内に
要求が受け取られなかったので、
交替の群に割り当てる。
【００２０】
いくつかの実施例では、転送装置１０４は、表３に示されるように、設定可能期間に基づいて最良の群選択を交互にする。複数のエレベータ群によってサービスされる各階床ごとに別々のタイマを用いることができ、異なる群について異なる期間を用いることもできる。
【００２１】
表３  設定可能期間は２０秒
到着時刻  目的階  群割り当て  備考
12:10:00                      設定可能期間の開始
12:10:03  5       101         第１の期間内、群101に割り当てる
12:10:05  12      102         群102のみ階床12にサービスする
12:10:09  10      101         第１の期間内、群101に割り当てる 
12:10:15  5       101         第１の期間内、群101に割り当てる
12:10:21  10      102         第１の期間は経過、
第２の期間、群102に割り当てる
12:10:38  5       102         第２の期間、群102に割り当てる。
【００２２】
いくつかの実施例では、転送装置１０４は、各群に割り当てられる要求の回数を保持することができ、１つの群に割り当てられた要求の閾値数に到達すると、転送装置１０４は、次の要求を別の群に割り当てることができる。この方法は、タイマと共に使用可能であり、設定可能期間が終了すると、要求が割り当てられる群を交替させることができる。この方法の実施例が、表４に示される。
【００２３】
表４  設定可能期間は１５秒、閾値は３人の乗客
到着時刻  目的階  群割り当て  備考
12:10:03  4       101         群101のみ階床4にサービスする
群101は１人の乗客
12:10:04  5       101         群101は２人の乗客
12:10:04  12      102         群102のみ階床12にサービスする
群102は１人の乗客
12:10:05  5       101         群101は３人の乗客
12:10:06  5       102         群101は１５秒以内に３人を超える乗客の要求
群102に割り当てる。
【００２４】
表１〜表４に示される方法は、例示する目的で示されているだけであり、転送装置１０４は、最良の群を決定するために任意の適切なアルゴリズムを用いることができる。表１〜表４に示される方法のいずれも、互いに一緒に、または他の方法と一緒に使用可能である。転送装置１０４によって使用される方法は、限定される訳ではないが、特定の期間内または１日のうちの時間帯における比較的大きな数の要求を含め、さまざまな要因に基づいて変更可能である。
【００２５】
転送装置１０４は、最良の群についてのその評価の一部として、さまざまなエレベータ群の物理的構成、例えば、群内のかごの数、群によってサービスされる階床の数、複数の群によってサービスされる階床にサービスする群内のかごの数、特定の階床にサービスする群の数などを考慮することもできる。この情報は、静的であり、最良の群選択の目的で転送装置１０４内に記憶可能である。転送装置１０４が使用する静的データは、状況に応じて変更可能である。例えば、群に属するかごがサービスから外れる場合、その情報は、転送装置１０４内に記憶されるデータに反映可能である。転送装置１０４は次いで、そのかごがサービスに戻るという連絡を受けるまで、その群について記憶されているかごの数を変更することができる。
【００２６】
転送装置１０４は、たとえそれぞれの群のスコアが別の選択を示しているとしても、１つの群よりも別の１つの群を選択可能とする、オーバーライド条件を考慮することもできる。オーバーライド条件は、特定のエレベータ群がサービス要求として同じ出発階から同じ目的階へ行く待ち乗客を既に有し得ること、または、特定の群がサービス要求として同じ出発階から行く待ち乗客を既に有し得ることを含むことができる。サービス要求が入力されたＤＥＤから各群内の最も遠いかごへの距離も考慮可能であり、身体の不自由な乗客は、特定のＤＥＤからの距離によって測定される、サービス要求にサービス可能な最も近くの群に彼らのサービス要求を割り当てるよう転送装置にさせることができる。
【００２７】
図２に戻ると、ブロック２０３において、サービス要求は、ブロック２０２において転送装置１０４によって決定された最良の群に割り当てられる。ブロック２０４において、決定された最良の群から最良のかごが、最良の群の群制御装置によって決定される。ブロック２０５において、乗客は、決定された最良の群および最良のかごに割り当てられ、割り当ては、ＤＥＤ１０５ａ−ｄのうちの１つを介して乗客に示されることができる。
【００２８】
図３には、ソフトウェアとして具体化される、エレベータ配送システムにおける転送装置情報を用いる最良の群の選択のシステムおよび方法の例示的な実施例によって使用可能なコンピュータ３００の実施例が示される。上に検討したさまざまな作動は、コンピュータ３００の能力を利用できる。コンピュータ３００の１つまたは複数の能力は、本願で検討する任意の素子、モジュール、アプリケーションおよび／または構成要素に組み込み可能である。
【００２９】
コンピュータ３００には、限定される訳ではないが、ＰＣ、ワークステーション、ラップトップ、ＰＤＡ、パーム装置、サーバ、記憶装置、および同様のものなどが含まれる。一般に、ハードウェアアーキテクチャによって、コンピュータ３００は、ローカルインターフェース（図示せず）によって通信可能に接続された、１つまたは複数のプロセッサ３１０、メモリ３２０、および１つまたは複数の入出力（Ｉ／Ｏ）装置３７０を備えることができる。ローカルインターフェースは、例えば、限定される訳ではないが、当業技術内で既知の、１つまたは複数のバスまたは他の有線または無線による接続とすることができる。ローカルインターフェースは、通信を可能とするために、コントローラ、バッファ（キャッシュ）、ドライバ、リピータ、およびレシーバなどの付加的な素子を有することができる。さらに、ローカルインターフェースは、上述した構成要素間の適切な通信を可能とするために、アドレス、コントロール、および／またはデータの接続を含むことができる。
【００３０】
プロセッサ３１０は、メモリ３２０に記憶可能なソフトウェアを実行するハードウェアデバイスである。プロセッサ３１０は、全く任意の特注または商業的に利用可能なプロセッサ、中央処理装置（ＣＰＵ）、デジタル信号プロセッサ（ＤＳＰ）、またはコンピュータ３００に関連するいくつかのプロセッサの中の補助プロセッサとすることができ、プロセッサ３１０は、半導体に基づくマイクロプロセッサ（マイクロチップの形態のもの）またはマクロプロセッサとすることができる。
【００３１】
メモリ３２０は、揮発性メモリ素子（例えば、ダイナミックランダムアクセスメモリ（ＤＲＡＭ）、スタティックランダムアクセスメモリ（ＳＲＡＭ）その他などのランダムアクセスメモリ（ＲＡＭ））および不揮発性メモリ素子（例えば、ＲＯＭ、消去可能なプログラム可能読み出し専用メモリ（ＥＰＲＯＭ）、電気的に消去可能なプログラム可能読み出し専用メモリ（ＥＥＰＲＯＭ）、プログラム可能読み出し専用メモリ（ＰＲＯＭ）、テープ、コンパクトディスク読み出し専用メモリ（ＣＤ−ＲＯＭ）、ディスク、ディスケット、カートリッジ、カセットまたは同様のもの、その他）の任意の１つまたは組み合わせを含むことができる。さらに、メモリ３２０は、電気的、磁気的、光学的および／または他の種類の記憶媒体を組み込むことができる。メモリ３２０は、さまざまな構成要素が互いに遠隔に位置するがプロセッサ３１０によってアクセス可能である、分散アーキテクチャを有することができることに留意されたい。
【００３２】
メモリ３２０内のソフトウェアは、それぞれのプログラムが、論理機能を実現するための実行可能命令の順序付けられたリストから成る、１つまたは複数の別々のプログラムを備えることができる。メモリ３２０内のソフトウェアは、適切なオペレーティングシステム（Ｏ／Ｓ）３５０、コンパイラ３４０、ソースコード３３０、および例示的な実施例による１つまたは複数のアプリケーション３６０を備えることができる。例示されるように、アプリケーション３６０は、例示的な実施例の特徴および作動を実現するさまざまな機能構成要素を備える。コンピュータ３００のアプリケーション３６０は、例示的な実施例による、さまざまなアプリケーション、コンピュータユニット、ロジック、機能ユニット、プロセス、オペレーション、仮想エンティティ、および／またはモジュールを代表しているが、アプリケーション３６０は、限定となることを意味するものではない。
【００３３】
オペレーティングシステム３５０は、他のコンピュータプログラムの実行を制御し、スケジューリング、入出力制御、ファイル・データ管理、メモリ管理、および、通信制御および関連サービスを行う。本発明者らは、例示的な実施例を実現するアプリケーション３６０が全ての商業的に利用可能なオペレーティングシステム上で適用可能であることを意図している。
【００３４】
アプリケーション３６０は、ソースプログラム、実行可能プログラム（オブジェクトコード）、スクリプト、または実行すべき一組の命令を有する任意の他のエンティティとすることができる。ソースプログラムの場合、プログラムは、Ｏ／Ｓ３５０と関連して適切に作動するように、メモリ３２０内に格納されることも、格納されないこともある、コンパイラ（コンパイラ３４０など）、アセンブラ、インタープリタ、または同様のものなどを介して通常翻訳される。さらに、アプリケーション３６０は、例えば、限定される訳ではないが、Ｃ、Ｃ＋＋、Ｃ＃、Ｐａｓｃａｌ、ＢＡＳＩＣ、ＡＰＩ  ｃａｌｌ、ＨＴＭＬ、ＸＨＴＭＬ、ＸＭＬ、ＡＳＰ  ｓｃｒｉｐｔ、ＦＯＲＴＲＡＮ、ＣＯＢＯＬ、Ｐｅｒｌ、Ｊａｖａ、ＡＤＡ、．ＮＥＴ、および同様のものなど、データおよび方法のクラスを有するオブジェクト指向プログラム言語、またはルーチン、サブルーチンおよび／または機能を有する手続きプログラム言語として記載可能である。
【００３５】
Ｉ／Ｏ装置３７０は、例えば、限定される訳ではないが、マウス、キーボード、スキャナー、マイクロホン、カメラ、その他などの入力装置を備えることができる。さらにＩ／Ｏ装置３７０は、例えば、限定される訳ではないが、プリンタ、ディスプレイ、その他などの出力装置を備えることもできる。最後に、Ｉ／Ｏ装置３７０はさらに、例えば、限定される訳ではないが、ＮＩＣまたは変調器／復調器（遠隔装置、他のファイル、装置、システム、またはネットワークにアクセスするためのもの）、無線周波数（ＲＦ）または他のトランシーバ、電話インターフェース、ブリッジ、ルータ、その他などの入力および出力両方を通信する装置を備えることができる。Ｉ／Ｏ装置３７０はまた、インターネットまたはイントラネットなどのさまざまなネットワークを介して通信する構成要素を含む。
【００３６】
コンピュータ３００が、ＰＣ、ワークステーション、インテリジェントデバイス、または同様のものなどの場合、メモリ３２０内のソフトウェアはさらに、基本入出力システム（ＢＩＯＳ）（単純化のために省略）を備えることができる。ＢＩＯＳは、起動時にハードウェアを初期化し、テストし、Ｏ／Ｓ３５０を起動し、ハードウェア装置間のデータ移動を支持する、一組の実質的なソフトウェアルーチンである。ＢＩＯＳは、コンピュータ３００の起動時にＢＩＯＳが実行可能となるように、ＲＯＭ、ＰＲＯＭ、ＥＰＲＯＭ、ＥＥＰＲＯＭ、または同様のものなどの、ある種の読み出し専用メモリに記憶される。
【００３７】
コンピュータ３００が作動する時、プロセッサ３１０は、メモリ３２０に記憶されたソフトウェアを実行し、メモリ３２０へまたはメモリ３２０からデータを通信し、ソフトウェアに従ってコンピュータ３００の作動を一般に制御するように構成される。アプリケーション３６０およびＯ／Ｓ３５０は、その全体または一部がプロセッサ３１０によって読み出され、プロセッサ３１０内で恐らくバッファーリングされ、次いで実行される。
【００３８】
アプリケーション３６０がソフトウェアにおいて実現される場合、アプリケーション３６０が、任意のコンピュータ関連システムまたは方法に関連して使用されまたはこれらのシステムまたは方法によって使用される全く任意のコンピュータ可読媒体上に記憶可能であることに留意されたい。本明細書の文脈では、コンピュータ可読媒体は、コンピュータ関連システムまたは方法に関連して使用されまたはこれらのシステムまたは方法によって使用されるコンピュータプログラムを格納または記憶可能な、電気的、磁気的、光学的、または他の物理的装置または手段とすることができる。
【００３９】
アプリケーション３６０は、命令実行システム、装置、またはデバイスから命令を取り出し（ｆｅｔｃｈ）、その命令を実行できる、コンピュータに基づくシステム、プロセッサ保有システム、または他のシステムなどの、命令実行システム、装置、またはデバイスに関連して使用されまたはこれらのシステム、装置、またはデバイスによって使用される任意のコンピュータ可読媒体内で具体化できる。本明細書の文脈では、「コンピュータ可読媒体」は、命令実行システム、装置、またはデバイスに関連して使用されまたはこれらのシステム、装置、またはデバイスによって使用されるプログラムを、記憶し、通信し、伝搬させ、または伝達することができる任意の手段とすることができる。コンピュータ可読媒体は、例えば、限定される訳ではないが、電気的、磁気的、光学的、電磁的、赤外、または半導体システム、装置、デバイス、または伝搬媒体とすることができる。
【００４０】
コンピュータ可読媒体のより具体的な例（非網羅的なリスト）は、以下の、１つまたは複数のワイヤを有する電気的接続（電気的）、携帯型コンピュータディスケット（磁気的または光学的）、ランダムアクセスメモリ（ＲＡＭ）（電気的）、読み出し専用メモリ（ＲＯＭ）（電気的）、消去可能なプログラム可能読み出し専用メモリ（ＥＰＲＯＭ、ＥＥＰＲＯＭ、またはフラッシュメモリ）（電気的）、光ファイバ（光学的）、および携帯型コンパクトディスクメモリ（ＣＤＲＯＭ、ＣＤ  Ｒ／Ｗ）（光学的）を含むことができる。プログラムが例えば紙または他の媒体の光学的スキャニングを介して電気的に取り込まれ、次いでコンパイルされ、翻訳され、またはそうでなければ必要に応じて適切な方法で処理され、次いでコンピュータメモリに記憶されるので、コンピュータ可読媒体が、プログラムが印刷または穿孔される紙または他の適切な媒体とすることさえできることに留意されたい。
【００４１】
アプリケーション３６０がハードウェアにおいて実現される例示的な実施例では、アプリケーション３６０は、当業技術内でよく知られた以下の技術、すなわち、データ信号上に論理機能を実現する論理ゲートを有する１つまたは複数のディスクリート論理回路、適切な組み合わせ論理ゲートを有する特定用途向け集積回路（ＡＳＩＣ）、１つまたは複数のプログラム可能ゲートアレイ（ｐｒｏｇｒａｍｍａｂｌｅ  ｇａｔｅ  ａｒｒａｙ）（ＰＧＡ）、フィールドプログラム可能ゲートアレイ（ｆｉｅｌｄ  ｐｒｏｇｒａｍｍａｂｌｅ  ｇａｔｅ  ａｒｒａｙ）（ＦＰＧＡ）、その他などの、任意の１つまたはこれらの組み合わせによって実現可能である。
【００４２】
例示的な実施例の技術的な効果および利点には、エレベータかごの混み具合およびホールの待ち行列の低減が含まれる。
【００４３】
本願で使用される用語は、特定の実施例を記載する目的のみのためであって、本発明を限定することは意図していない。本発明の説明は、例示および説明の目的で提示したが、開示された形態での本発明に限定されまたは網羅的となることは意図していない。本明細書に記載されていない多くの変更物、変形物、改変物、置換物または均等構成が、本発明の範囲および趣旨から逸脱せずに当業者には明らかとなるであろう。さらに、本発明のさまざまな実施例を説明してきたとはいえ、本発明の態様が開示の実施例の一部のみを含み得ることを理解されたい。従って、本発明は、上述の説明によって限定されるものとして見なされるべきではなく、添付の特許請求の範囲によってのみ限定される。
【図１】
2013520377.tif 000003
【図２】
2013520377.tif 000004
【図３】
2013520377.tif 000005
【国際調査報告】
2013520377.tif 000006
2013520377.tif 000007